(57)【要約】【課題】石炭を用いて発電する火力発電所で発生する煙を浄化させて清浄空気を発電所から排出させる、石炭火力発電所用空気清浄装置を提供する。【解決手段】１次に石灰水を用いて汚染した煙の廃棄物を濾し、２次に煙に含まれた微細ほこり及び二酸化炭素を濾過させ、３次に煙のみ残った状態の一酸化炭素を含む廃ガスに酸素を反応させて二酸化炭素に変化させ、水酸化ナトリウム溶液が二酸化炭素を吸収してきれいな空気に浄化した後、４次にきれいな空気を水分凝縮器に多数回通過させることによって水分を除去して純粋煙状のきれいな空気を発電所の外部に排出する。【選択図】図１
2019048285.tif 000002
【特許請求の範囲】
【請求項１】
石灰水を用いて汚染した煙の汚染物質を濾す１次濾過器；
煙に含まれた微細ほこり及び二酸化炭素を濾過させる２次濾過器；
２次濾過されて一酸化炭素を含む廃ガスに酸素を反応させて二酸化炭素に変化させ、水酸化ナトリウム溶液が二酸化炭素を吸収してきれいな空気に浄化する３次濾過器；及び
きれいな空気を水分凝縮器に多数回通過させることによって水分を除去して純粋煙状のきれいな空気を発電所の外部に排出する４次濾過器；を含むことを特徴とする、石炭火力発電所用空気清浄装置。
【請求項２】
前記１次濾過器は、
複数の濾過空間が形成され、
前記複数の濾過空間は汚染空気が通過する第１網によって区画され、
汚染空気が流入する第１煙流入口と、複数の濾過空間を全て通過すれば排出されるようにする第１煙排出口とを含み、
前記複数の濾過空間はそれぞれの底面が‘Ｖ’形に構成され、
濾過空間の上側に備えられた噴霧管と前記噴霧管に連結されて各濾過空間に連通する噴霧ノズルとを含み、
前記噴霧管の他端には第１揚水機が備えられ、第１揚水機には石灰水槽が連結され、
前記複数の濾過空間のそれぞれの底面のうち集合地点には運送ローラーが備えられ、
前記運送ローラーの一端には油圧モーターと前記油圧モーターに物理的に連結されて動力を伝達する油圧器とが形成されることにより、
前記第１煙流入口を通じて流入した汚染空気は前記噴霧ノズルから噴射される石灰水によって汚染物質が空気から分離されて落下し、汚染物質が分離された空気が前記第１煙排出口に移動し、
空気から分離された汚染物質は運送ローラーによって一地点に運送されることを特徴とする、請求項１に記載の石炭火力発電所用空気清浄装置。
【請求項３】
２次濾過器は、
−第２網と隔壁によって区画される石灰水濾過槽とソーダ石灰水濾過槽とを含み、
−前記石灰水濾過槽には前記第１煙排出口と連結された第２煙流入口が備えられ、
−前記ソーダ石灰水濾過槽には空気が排出される第２煙排出口が備えられ、
−前記石灰水濾過槽とソーダ石灰水濾過槽のそれぞれの底面は‘Ｖ’形に構成され、その内部にそれぞれ第１排出板と第２排出板を含み、
前記第１排出板と第２排出板は、石灰水濾過槽とソーダ石灰水濾過槽の‘Ｖ’形の底面の折曲開始部位に構成され、
石灰水濾過槽とソーダ石灰水濾過槽の上面にも臨時石灰水槽と臨時ソーダ石灰水濾過槽が形成可能な高さに形成され、
−前記石灰水濾過槽とソーダ石灰水濾過槽の底面にはそれぞれ石灰水タンクとソーダ石灰水タンクが連結され、
前記石灰水タンクとソーダ石灰水タンクは、
他側にそれぞれ第２揚水機と第１ポンプが連結され、
各タンクには運送ベルトがそれぞれ備えられ、２次濾過器で空気から分離された異物をタンクの外部に運送し、
−前記２次濾過器は、流入した空気が各濾過槽を通過するとき、石灰水タンク又はソーダ石灰水タンクから石灰水又はソーダ石灰水のそれぞれが供給されて臨時石灰水槽又は臨時ソーダ石灰水槽に溜まり、溜まった石灰水又はソーダ石灰水がそれぞれの排出板に形成された多数の通孔を通じて落下しながら、空気に含まれた異物が分離され、分離された異物と石灰水又はソーダ石灰水が石灰水タンクとソーダ石灰水タンクに流入され、
異物は運送ベルトによって排出され、石灰水又はソーダ石灰水はそれぞれに備えられた第２揚水機と第１ポンプによって再び臨時石灰水槽又は臨時ソーダ石灰水槽に循環することを特徴とする、請求項２に記載の石炭火力発電所用空気清浄装置。
【請求項４】
３次濾過器は、
−下部一側に貫通孔が形成された隔壁によって区画される１次濾過槽と２次濾過槽を含み、
−前記第２煙排出口に連結される第３煙流入口が備えられ、
−前記１次濾過槽と２次濾過槽の上側には第２噴霧管とこれに結合された複数の第２噴霧ノズルが位置し、第２噴霧ノズルは前記１次濾過槽と２次濾過槽にそれぞれ連通するように構成され、
−前記第２噴霧管の一端は第３揚水機と第２ポンプに連結され、前記第３揚水機の他側は前記１次濾過槽又は２次濾過槽のいずれか一方に連結され、
−前記１次濾過槽と２次濾過槽の内部には水酸化ナトリウム溶液が収容され、前記第３揚水機と第２ポンプによって前記第２噴霧管に循環して第２噴霧ノズルから噴霧され、
−前記第３煙流入口に流入した空気は煙移送口を通じて１次濾過槽から２次濾過槽に移送した後、第３煙排出口を通じて排出され、
−前記１次濾過槽には酸素を供給する酸素流入口を含み、
３次濾過器に流入した空気に含まれた一酸化炭素に酸素を反応させて二酸化炭素を作り、前記二酸化炭素は１次濾過槽と２次濾過槽を通過しながら、これらに収容された水酸化ナトリウム溶液に吸収されることによってきれいな空気になるようにすることを特徴とする、請求項３に記載の石炭火力発電所用空気清浄装置。
【請求項５】
４次濾過器は、
前記３次濾過器の第３煙排出口からきれいな空気が流入される第４煙流入口と、反対側に空気をすべて排出する第４煙排出口とを含み、
その内部底面は‘Ｖ’形に形成され、配管を介して廃水タンクと連結され、‘Ｖ’形に折曲開始する底面領域には第３排出板が取り付けられ、
前記第３排出板から４次濾過器の内部上面まで取り付けられた複数の水分凝縮器が一定間隔で配列されることにより、
前記４次濾過器に流入したきれいな空気は水分凝縮器を順次通過しながら水分が奪われ、完全に浄化した状態で第４煙排出口を通じて排出され、
前記水分凝縮器はきれいな空気から奪った水分を下方に移動させて第３排出板に落下させ、落下した水分は第３排出板に形成された多数の通孔を通じて下方にさらに落下して廃水タンクに保存されることを特徴とする、請求項４に記載の石炭火力発電所用空気清浄装置。
【発明の詳細な説明】
【技術分野】
【０００１】
本発明は石炭を用いて発電する火力発電所で発生する煙を浄化させて清浄空気を発電所から排出させる、石炭火力発電所用空気清浄装置に関するものである。
【０００２】
また、本発明は１次に石灰水を用いて汚染された煙の廃棄物を濾し、２次に煙に含まれた微細ほこり及び二酸化炭素を濾過させ、３次に煙のみ残った状態の一酸化炭素を含む廃ガスに酸素を反応させて二酸化炭素に変化させ、水酸化ナトリウム溶液が二酸化炭素を吸収してきれいな空気に浄化した後、４次にきれいな空気を水分凝縮器に多数回通過させることによって水分を除去して純粋煙状のきれいな空気を発電所の外部に排出する、石炭火力発電所用空気清浄装置に関するものである。
【背景技術】
【０００３】
火力発電所とは、石炭又は石油による火力で蒸気を発生させてタービンを回転させることによって発電機を運転して電力を発電する機関である。
【０００４】
このような火力発電所は、図５のように具現される。近年、世界的に環境問題が台頭するにつれて、石炭を用いる火力発電所の場合、環境汚染の主犯として認識されている。
【０００５】
特に、大韓民国では、２０１７年０４月１５日付で微細ほこり減縮のための応急対策として一部の石炭火力発電所に対する一時稼働中断とシャットダウンを政府で指示したことがあるほどである。
【０００６】
しかし、全世界的に前々から発電機能をして来た石炭火力発電所を急に中断するというのは、働き口の減少、専門知識の浪費などの色々の問題が発生すると予想される。
【０００７】
また、中国は総電力の７９％を、インドは６９％を、アメリカは４９％を、ドイツは４５％を、日本は２７％を、そして大韓民国は４０％を石炭火力発電所で生産している。特に、大韓民国では国内ＰＭ２．５排出量の５９％を占めているわけである。
【０００８】
すなわち、石炭火力発電所を閉鎖することは経済発展の足首を引っ張る対策である。問題の解決策は、地球温暖化の主要原因である二酸化炭素と微細ほこりを処理してきれいな空気を自然に返還することにある。
【０００９】
言い換えれば、この問題点を解決することによって石炭火力発電所の使用を再開することができ、自然を守りながら経済発展を加速化することができるものである。
【００１０】
これにより、本出願人は、石炭火力発電所の運用を維持するとともに、運用によって発生する煤煙を浄化させてきれいな空気を発電所の外部に排出して環境保護に役立つようにする方案を模索することになった。
【００１１】
具体的には、自然環境で雨が空気を浄化させることに着眼した。
【００１２】
一方、石炭火力発電所の最大の汚染原因になった石炭灰を回収する技術が開発された。これは韓国登録特許第１０−０５９６０３４号公報に記載された火力発電所の高純度及び微粒石炭灰回収装置である。
【００１３】
前記技術は、粉体中の各成分の粒度及び比重の差を用いる遠心分離工程によって未然炭素含量が低く粉末度が高い火力発電所の高純度及び微粒粉精製回収装置に関するもので、もっと具体的には火力発電所などで発生する石炭灰に含まれた未然炭素などを容易に分離させる精製設備などに応用可能な高純度及び微粒石炭灰回収装置に関するものである。
【００１４】
しかし、前記技術は、石炭を用いる火力発電所で発生する煤煙を浄化させることができる技術ではない。
【００１５】
一方、発電所で発生する煤煙（煙、ガスなど）を浄化することができる技術に関しては、韓国登録特許第１０−１７２５３７７号公報に発電所排出ガス中の二酸化炭素の活用のための発電所排出ガス浄化装置、浄化方法及びこれを用いた植物栽培方法が開示されている。
【００１６】
前記技術は、鉄イオンが溶解された吸収液を製造し、過酸化水素を添加して発電所の排出ガスを前記吸収液に通過させることで、発電所排出ガス中に含まれた亜硫酸ガス及び窒素酸化物から硫酸イオン及び硝酸イオンを生成し、前記硫酸イオン及び硝酸イオンを常温常圧で酸化させ、溶解度を増加させて前記吸収液に捕集し、これを中和して除去することを特徴とし、発電所排出ガス中の二酸化炭素の活用のための発電所排出ガス浄化装置として、反応器の内部は三つの仕切りによって区画される４個のカラムが形成され、第１カラムの下部に発電所の排出ガスが注入され、注入されたガスが泡状で反応器内部の液状触媒と一緒に上昇し、このように上昇した液状触媒は第１仕切りの上端を越えて第２カラムから下降した後、前記第２仕切りの下側を通じて第３カラムに移動して上昇し、第３仕切りの上端を越えて第４カラムから下降した後、液状触媒は反応器の下端部を通じて再び第１カラムに移動して循環しながら、排出ガス中の亜硫酸ガス及び窒素酸化物は反応器の内部で液状触媒の吸収液に捕集されて除去され、二酸化炭素は反応器上端の気体排出口から排出されて分離されるものである。
【００１７】
他の技術として、韓国登録特許第１０−１７５７２５０号公報には、発電所排出ガス中の二酸化炭素の活用のための発電所排出ガス浄化装置、浄化方法及びこれを用いた植物栽培方法が開示されている。
【００１８】
前記技術は２番目の先行技術の出願人が出願した技術で、２番目の先行技術と類似している。
【００１９】
さらに他の技術として、韓国登録特許第１０−０８１７６８４号公報には、石炭から清浄エネルギーを生産するための方法が開示されている。
【００２０】
前記技術は、加圧された水素濃厚未加工ガスと高温粉体燃料を産出するように石炭の一部を燃消させるために酸素を注入しながら、大気から密封された反応器１０内に石炭を供給し、反応器１０内の石炭を移動させることによって石炭から清浄エネルギーを生産するための方法に関するものである。
【００２１】
前記水素濃厚ガスは、蒸留物質と炭化水素を除去するために、熱分解室２１で熱分解され、合成ガスを生産するために脱黄される。
【００２２】
そして、高温粉体燃料は、共通ポート２３を通じてガス化器の外部に共同に向かう燃料ガスと溶融スラグを生産するために空気送風ガス化器１１でガス化する。ここで、分離された後、燃料ガスは燃焼時に非常に低いＮＯＸ放出を有するガスを生産するために脱黄されることが開示されている。
【００２３】
しかし、上述した先行技術等は本出願人が提案しようとする本発明の浄化のための全体的な構造とこれによる浄化方式とは全く違うものであると判断される。
【先行技術文献】
【特許文献】
【００２４】
【特許文献１】韓国登録特許第１０−０５９６０３４号公報
【特許文献２】韓国登録特許第１０−１７２５３７７号公報
【特許文献３】韓国登録特許第１０−１７５７２５０号公報
【特許文献４】韓国登録特許第１０−０８１７６８４号公報
【発明の概要】
【発明が解決しようとする課題】
【００２５】
本発明の目的は、石炭を用いて発電する火力発電所で発生する煙を浄化させて清浄空気を発電所から排出させる、石炭火力発電所用空気清浄装置を提供することにある。
【００２６】
本発明の他の目的は、１次に石灰水を用いて汚染した煙の廃棄物を濾し、２次に煙に含まれた微細ほこり及び二酸化炭素を濾過させ、３次に煙のみ残った状態の一酸化炭素を含む廃ガスに酸素を反応させて二酸化炭素に変化させ、水酸化ナトリウム溶液が二酸化炭素を吸収してきれいな空気に浄化した後、４次にきれいな空気を水分凝縮器に多数回通過させることによって水分を除去して純粋煙状のきれいな空気を発電所の外部に排出する、石炭火力発電所用空気清浄装置を提供することにある。
【課題を解決するための手段】
【００２７】
前記のような目的を達成するためになされたもので、本発明による石炭火力発電所用空気清浄装置は、石灰水を用いて汚染した煙の汚染物質を濾す１次濾過器；煙に含まれた微細ほこり及び二酸化炭素を濾過させる２次濾過器；２次濾過されて一酸化炭素を含む廃ガスに酸素を反応させて二酸化炭素に変化させ、水酸化ナトリウム溶液が二酸化炭素を吸収してきれいな空気に浄化する３次濾過器；及びきれいな空気を水分凝縮器に多数回通過させることによって水分を除去して純粋煙状のきれいな空気を発電所の外部に排出する４次濾過器；を含むことを特徴とする。
【００２８】
前記１次濾過器は、複数の濾過空間が形成され、前記複数の濾過空間は汚染空気が通過する第１網によって区画され、汚染空気が流入する第１煙流入口と、複数の濾過空間を全て通過すれば排出されるようにする第１煙排出口とを含み、前記複数の濾過空間はそれぞれの底面が‘Ｖ’形に構成され、濾過空間の上側に備えられた噴霧管と前記噴霧管に連結されて各濾過空間に連通する噴霧ノズルとを含み、前記噴霧管の他端には第１揚水機が備えられ、第１揚水機には石灰水槽が連結され、前記複数の濾過空間のそれぞれの底面のうち集合地点には運送ローラーが備えられ、前記運送ローラーの一端には油圧モーターと前記油圧モーターに物理的に連結されて動力を伝達する油圧器とが形成されることにより、前記第１煙流入口を通じて流入した汚染空気は前記噴霧ノズルから噴射される石灰水によって汚染物質が空気から分離されて落下し、汚染物質が分離された空気が前記第１煙排出口に移動し、空気から分離された汚染物質は運送ローラーによって一地点に運送されることを特徴とする。
【００２９】
２次濾過器は、−第２網と隔壁によって区画される石灰水濾過槽とソーダ石灰水濾過槽とを含み、−前記石灰水濾過槽には前記第１煙排出口と連結された第２煙流入口が備えられ、−前記ソーダ石灰水濾過槽には空気が排出される第２煙排出口が備えられ、−前記石灰水濾過槽とソーダ石灰水濾過槽のそれぞれの底面は‘Ｖ’形に構成され、その内部にそれぞれ第１排出板と第２排出板を含み、前記第１排出板と第２排出板は、石灰水濾過槽とソーダ石灰水濾過槽の‘Ｖ’形の底面の折曲開始部位に構成され、石灰水濾過槽とソーダ石灰水濾過槽の上面にも臨時石灰水槽と臨時ソーダ石灰水濾過槽が形成可能な高さに形成され、−前記石灰水濾過槽とソーダ石灰水濾過槽の底面にはそれぞれ石灰水タンクとソーダ石灰水タンクが連結され、前記石灰水タンクとソーダ石灰水タンクは、他側にそれぞれ第２揚水機と第１ポンプが連結され、各タンクには運送ベルトがそれぞれ備えられ、２次濾過器で空気から分離された異物をタンクの外部に運送し、−前記２次濾過器は、流入した空気が各濾過槽を通過するとき、石灰水タンク又はソーダ石灰水タンクから石灰水又はソーダ石灰水のそれぞれが供給されて臨時石灰水槽又は臨時ソーダ石灰水槽に溜まり、溜まった石灰水又はソーダ石灰水がそれぞれの排出板に形成された多数の通孔を通じて落下しながら、空気に含まれた異物が分離され、分離された異物と石灰水又はソーダ石灰水が石灰水タンクとソーダ石灰水タンクに流入され、異物は運送ベルトによって排出され、石灰水又はソーダ石灰水はそれぞれに備えられた第２揚水機と第１ポンプによって再び臨時石灰水槽又は臨時ソーダ石灰水槽に循環することを特徴とする。
【００３０】
３次濾過器は、−下部一側に貫通孔が形成された隔壁によって区画される１次濾過槽と２次濾過槽を含み、−前記第２煙排出口に連結される第３煙流入口が備えられ、−前記１次濾過槽と２次濾過槽の上側には第２噴霧管とこれに結合された複数の第２噴霧ノズルが位置し、第２噴霧ノズルは前記１次濾過槽と２次濾過槽にそれぞれ連通するように構成され、−前記第２噴霧管の一端は第３揚水機と第２ポンプに連結され、前記第３揚水機の他側は前記１次濾過槽又は２次濾過槽のいずれか一方に連結され、−前記１次濾過槽と２次濾過槽の内部には水酸化ナトリウム溶液が収容され、前記第３揚水機と第２ポンプによって前記第２噴霧管に循環して第２噴霧ノズルから噴霧され、−前記第３煙流入口に流入した空気は煙移送口を通じて１次濾過槽から２次濾過槽に移送した後、第３煙排出口を通じて排出され、−前記１次濾過槽には酸素を供給する酸素流入口を含み、３次濾過器に流入した空気に含まれた一酸化炭素に酸素を反応させて二酸化炭素を作り、前記二酸化炭素は１次濾過槽と２次濾過槽を通過しながら、これらに収容された水酸化ナトリウム溶液に吸収されることによってきれいな空気になるようにすることを特徴とする。
【００３１】
４次濾過器は、前記３次濾過器の第３煙排出口からきれいな空気が流入される第４煙流入口と、反対側に空気をすべて排出する第４煙排出口とを含み、その内部底面は‘Ｖ’形に形成され、配管を介して廃水タンクと連結され、‘Ｖ’形に折曲開始する底面領域には第３排出板が取り付けられ、前記第３排出板から４次濾過器の内部上面まで取り付けられた複数の水分凝縮器が一定間隔で配列されることにより、前記４次濾過器に流入したきれいな空気は水分凝縮器を順次通過しながら水分が奪われ、完全に浄化した状態で第４煙排出口を通じて排出され、前記水分凝縮器はきれいな空気から奪った水分を下方に移動させて第３排出板に落下させ、落下した水分は第３排出板に形成された多数の通孔を通じて下方にさらに落下して廃水タンクに保存されることを特徴とする。
【発明の効果】
【００３２】
本発明による石炭火力発電所用空気清浄装置によれば、石炭を用いて発電する火力発電所で発生する煙を浄化させて清浄空気を発電所から排出させることができる効果を有する。
【００３３】
より具体的には、１次に石灰水を用いて汚染した煙の廃棄物を濾し、２次に煙に含まれた微細ほこり及び二酸化炭素を濾過させ、３次に煙のみ残った状態の一酸化炭素を含む廃ガスに酸素を反応させて二酸化炭素に変化させ、水酸化ナトリウム溶液が二酸化炭素を吸収してきれいな空気に浄化した後、４次にきれいな空気を水分凝縮器に多数回通過させることによって水分を除去して純粋煙状のきれいな空気を発電所の外部に排出することができる効果を有する。
【図面の簡単な説明】
【００３４】
【図１】本発明による石炭火力発電所用空気清浄装置の１次濾過器の構成を概略的に示した図である。
【図２】本発明による石炭火力発電所用空気清浄装置の２次濾過器の構成を概略的に示した図である。
【図３】本発明による石炭火力発電所用空気清浄装置の３次濾過器の構成を概略的に示した図である。
【図４】本発明による石炭火力発電所用空気清浄装置の４次濾過器の構成を概略的に示した図である。
【図５】一般的な火力発電所の概略図である。
【発明を実施するための形態】
【００３５】
本明細書及び請求範囲に使用された用語又は単語は通常的又は辞書的な意味に限定して解釈されてはいけなく、発明者は自分の発明を最良の方法で説明するために用語の概念を適切に定義することができるという原則に従って本発明の技術的思想に合う意味と概念に解釈されなければならない。
【００３６】
したがって、本明細書に記載された実施例と図面に示された構成は本発明の最適の実施例に過ぎないもので、本発明の技術的思想を全て代弁するものではないので、本出願の時点でこれらを取り替えることができる多様な均等物と変形例があり得ることを理解しなければならない。
【００３７】
以下、図面に基づいて説明するに先立ち、本発明の要旨を示すために必要ではない事項、つまり通常の知識を有する当業者が自明に付け加えることができる公知の構成に対しては図示しなかったり具体的に記述しなかったことを明らかにしておく。
【００３８】
本発明は、石炭を用いて発電する火力発電所で発生する煙を浄化させて清浄空気を発電所から排出させる、石炭火力発電所用空気清浄装置に関するものである。
【００３９】
このような本発明は、１次に石灰水を用いて汚染した煙の廃棄物を濾し、２次に煙に含まれた微細ほこり及び二酸化炭素を濾過させ、３次に煙のみ残った状態の一酸化炭素を含む廃ガスに酸素を反応させて二酸化炭素に変化させ、水酸化ナトリウム溶液が二酸化炭素を吸収してきれいな空気に浄化した後、４次にきれいな空気を水分凝縮器に多数回通過させることによって水分を除去して純粋煙状のきれいな空気を発電所の外部に排出する、石炭火力発電所用空気清浄装置に関するものである。
【００４０】
このような本発明を添付図面に基づいて具体的に説明する。
【００４１】
図１は本発明による石炭火力発電所用空気清浄装置の１次濾過器の構成を概略的に示した図、図２は本発明による石炭火力発電所用空気清浄装置の２次濾過器の構成を概略的に示した図である。
【００４２】
また、図３は本発明による石炭火力発電所用空気清浄装置の３次濾過器の構成を概略的に示した図、図４は本発明による石炭火力発電所用空気清浄装置の４次濾過器の構成を概略的に示した図である。
【００４３】
このような１次濾過器１０〜４次濾過器４０を汚染空気が順次通過しながら浄化される。１次濾過器１０を先に説明する。
【００４４】
図１のように、１次濾過器１０は、複数の濾過空間１１が形成され、複数の濾過空間１１は第１網１２によって区画される。
【００４５】
ここで、第１網１２は１次濾過器１０に流入した汚染空気が通過するもので、通過中に一部の汚染物質が濾過されることができる。したがって、第１網１２は発電所で発生する汚染物質（例えば、石灰）が濾過されるほどのサイズを有するように構成される。
【００４６】
また、複数の濾過空間１１が形成されることによって第１網１２も複数であり得る。この場合、汚染空気の移動方向に各第１網１２のメッシュサイズも次第に小さくなるように構成されることもできる。
【００４７】
このように、汚染空気の流入のために、１次濾過器１０は流入方向の一側に第１煙流入口１３が備えられることができ、反対に複数の濾過空間１１を全て通過すれば排出されるように第１煙排出口１４が備えられることができる。
【００４８】
また、複数の濾過空間１１はそれぞれの底面が‘Ｖ’形に構成されることができる。これは、各濾過空間１１に噴霧される石灰水によって汚染物質に含まれている汚染物質の荷重が増加するにつれて濾過空間１１の底面に落下すれば、一箇所に集まるようにするためである。
【００４９】
ここで、噴霧される石灰水は、濾過空間１１の上側に備えられた噴霧管１５と前記噴霧管１５に連結されて各濾過空間１１に連通した噴霧ノズル１６を通じて前記濾過空間１１の内部に噴霧される。
【００５０】
このために、噴霧管１５の他端には第１揚水機１７が備えられ、第１揚水機１７には石灰水槽１８が連結されることができる。
【００５１】
したがって、石灰水槽１８に収容された石灰水が第１揚水機１７の駆動によって噴霧管１５に移動する。
【００５２】
再び濾過空間１１の底面について、その集まる集合地点には運送ローラー１９が備えられることができる。このような運送ローラー１９は底面に落下する汚染物質を一方向に集めるように運送する役目をする。
【００５３】
このような運送ローラー１９の一端には油圧モーター１９ａが連結される。前記油圧モーター１９ａはこれと物理的／電気的に連結された油圧器１９ｂから動力を受けて駆動されることができる。
【００５４】
一方、１次濾過器１０には、図面符号が付けられていないが、第１煙流入口１３と隣り合う濾過空間１１にエアコンプレッサーと圧縮空気衝撃器が備えられることができる。
【００５５】
エアコンプレッサーは外部空気を吸入して圧縮させる役目をし、圧縮空気衝撃器はエアコンプレッサーから圧縮空気を受けて濾過空間１１に排出させる役目をし、瞬間的に大きな力を発生させて強く排出するようにする。
【００５６】
このような空気の圧縮と圧縮空気を瞬間的に強く排出させることは、既に他の技術分野で広く使っているので、具体的な説明は省略する。
【００５７】
図２を参照すると、２次濾過器は、１次濾過器で１次に汚染物質が濾過された空気を受けることができるように、第１煙排出口１４と連結された第２煙流入口２０ａａが備えられる。
【００５８】
具体的に、２次濾過器２０は石灰水濾過槽２０ａとソーダ石灰水濾過槽２０ｂから構成され、各石灰水濾過槽２０ａとソーダ石灰水濾過槽２０ｂも底面が‘Ｖ’形に構成される。
【００５９】
このような石灰水濾過槽２０ａとソーダ石灰水濾過槽２０ｂはその内部にそれぞれ第１排出板２０ａｂと第２排出板２０ｂｂを含む。
【００６０】
この第１排出板２０ａｂと第２排出板２０ｂｂは、石灰水濾過槽２０ａとソーダ石灰水濾過槽２０ｂの‘Ｖ’形の底面の折曲開始部位にも構成され、石灰水濾過槽２０ａとソーダ石灰水濾過槽２０ｂの上面にも所定の空間が形成可能な高さに形成される。
【００６１】
また、第２煙流入口２０ａａは前記第１排出板２０ａｂと第２排出板２０ｂｂの高さに対応する高さを有するようにする。なぜなら、第２煙流入口２０ａａを通じて流入した空気は２個ずつ上面／底面に取り付けられた第１排出板２０ａｂ又は第２排出板２０ｂｂの間を通過しなければならないからである。
【００６２】
このような回収濾過槽２０ａとソーダ石灰水濾過槽２０ｂの区画は、これらの間を塞ぐ第２網２０ｃとその上側に備えられた隔壁によって区画され、前記第２網２０ｃは汚染空気が通過するようにメッシュ網で構成されることができる。
【００６３】
前記回収濾過槽２０ａとソーダ石灰水濾過槽２０ｂにそれぞれ第１排出板２０ａｂ又は第２排出板２０ｂｂが取り付けられることによって、前記回収濾過槽２０ａとソーダ石灰水濾過槽２０ｂの上側には臨時石灰水槽２０ａｃと臨時ソーダ石灰水濾過槽２０ｂｃが備えられることができる。これについての説明は後述する。
【００６４】
前記回収濾過槽２０ａとソーダ石灰水濾過槽２０ｂの底面は石灰水タンク２１ａとソーダ石灰水タンク２１ｂにそれぞれ連結される。
【００６５】
これらの石灰水タンク２１ａとソーダ石灰水タンク２１ｂはそれぞれ石灰水とソーダ石灰水を保存するタンクであり、他側に第２揚水機２３と第１ポンプ２４が連結される。
【００６６】
ここで、第２揚水機２３は前記石灰水タンク２１ａとソーダ石灰水タンク２１ｂに収容された石灰水とソーダ石灰水を吸入する役目をし、第１ポンプ２４は吸入された石灰水とソーダ石灰水が回収濾過槽２０ａとソーダ石灰水濾過槽２０ｂの方向に移動するようにする役目をする。
【００６７】
このために、図２のように、第２揚水機２３は前記回収濾過槽２０ａとソーダ石灰水濾過槽２０ｂに配管を介して連結されることができる。
【００６８】
一方、石灰水タンク２１ａとソーダ石灰水タンク２１ｂにはそれぞれ運送ベルト２２が備えられることができる。この運送ベルト２２はローラーを用いたコンベヤーベルトなどで構成され、２次濾過器２０を通過する空気に含まれてから通過過程で空気から分離された異物（微細ほこりなど）を各タンク２１ａ、２１ｂの外部に運送する役目をする。
【００６９】
ここで、各タンク２１ａ、２１ｂに運送ベルト２２を形成するために形成された空間に石灰水又はソーダ石灰水が排出されないように気密性を確保する構成がさらに備えられることもできるのは言うまでもない（パッキングゴムなど）。
【００７０】
２次濾過器２０による動作を詳細に説明すると、流入した空気が各濾過槽２０ａ、２０ｂを通過するとき、石灰水タンク２１ａから石灰水が供給されて臨時石灰水槽２０ａｃに溜まり、溜まった石灰水が第１排出板２０ａｂに形成された多数の通孔を通じて落下しながら、１次濾過器１０と同様に、空気に含まれた異物に荷重を与えて異物が分離されるようにする。
【００７１】
ここで、２次濾過器２０では１次濾過器１０で一度濾過されたから異物が少ない。したがって、底面に異物を集める別の構成を含まなくても良い。
【００７２】
これは、ソーダ石灰水濾過槽２０ｂを通過するときにも同様である。このように落下した石灰水又はソーダ石灰水は底面に取り付けられた排出板２０ａｂ、２０ｂｂに形成された複数の通孔を通じて各タンク２１ａ、２１ｂに落下し、続けて循環するものである。
【００７３】
次に、図３を参照すると、３次濾過器３０には、２次濾過器２０の第２煙排出口２０ｂａに連結される第３煙流入口３３が備えられる。
【００７４】
３次濾過器３０は、汚染物質が除去された空気、すなわちガス状態として一酸化炭素を含む空気に酸素を注入することによって空気が二酸化炭素に還元するようにした後、二酸化炭素を水酸化ナトリウム溶液に吸収させてきれいな空気を獲得する空間である。
【００７５】
具体的に、３次濾過器３０は１次濾過槽３１と２次濾過槽３２に区画される。このような１次濾過槽３１と２次濾過槽３２は隔壁で区画され、隔壁の下端一側には貫通ホール（図面符号未表示）が形成されることもできる。
【００７６】
このような１次濾過槽３１と２次濾過槽３２の上側には、図面符号が表示されてはいないが、第２噴霧管とこれに結合された複数の第２噴霧ノズルが位置し、第２噴霧ノズルは前記１次濾過槽３１と２次濾過槽３２にそれぞれ連通するように構成される。
【００７７】
また、第２噴霧管の一端は第３揚水機３７と第２ポンプ３８に連結される。この第３揚水機３７の他側は前記１次濾過槽３１又は２次濾過槽３２のいずれか一方に連結されるように構成される。
【００７８】
そして、１次濾過槽３１と２次濾過槽３２の内部には水酸化ナトリウム溶液が収容されることができる。
【００７９】
また、１次濾過槽３１又は２次濾過槽３２のいずれか一方には酸素流入口３６が連通することができる。この酸素流入口３６は、酸素を１次濾過槽３１と２次濾過槽３２のいずれか一方に流入させる役目をする。
【００８０】
したがって、第３煙流入口３３を通じて１次濾過槽３１に流入した一酸化炭素を含む空気（廃ガス）に前記酸素流入口３６を通じて流入した酸素が反応することによって二酸化炭素に還元（Ｃｏ＋Ｏ＝Ｃｏ２）する。
【００８１】
ここで、１次濾過槽３１と２次濾過槽３２に収容された水酸化ナトリウム溶液が二酸化炭素を吸収してきれいな空気のみ残るようにする。
【００８２】
また、水酸化ナトリウム溶液が二酸化炭素をもっと易しく吸収するようにするために、水酸化ナトリウム溶液が第３揚水機３７と第２ポンプ３８によって第２噴霧管と第２噴霧ノズルを通じて循環して上側から落下するようにすることができる。
【００８３】
ここで、前記１次濾過槽３１と２次濾過槽３２を区画する隔壁の下部一側に貫通ホールが形成されることにより、水酸化ナトリウム溶液が前記１次濾過槽３１と２次濾過槽３２に共有されることができる。
【００８４】
また、第３煙流入口３３を通じて流入した空気は１次濾過槽３１と２次濾過槽３２を通過するうちに上述したように二酸化炭素が吸収される。これは、１次濾過槽３１と２次濾過槽３２を連結するように構成された煙移送口３４によって可能である。
【００８５】
このように、３次濾過器３０によって獲得されたきれいな空気は第３煙排出口３５を通じて、前記第３煙排出口３５と連結された４次濾過器４０の第４煙流入口４１に移動し、これによって４次濾過器４０を通過することになる。
【００８６】
図４を参照した４次濾過器４０は、３次濾過器３０からきれいな空気を流入する第４煙流入口４１と、反対側に空気をすべて排出する第４煙排出口４２とを含む。
【００８７】
また、その内部を見れば、底面は‘Ｖ’形に形成され、配管を介して廃水タンク４５と連結され、‘Ｖ’形に形成される底面領域には第３排出板４３が取り付けられることができる。ここで、第３排出板４３にも多数の通孔が形成されることができる。
【００８８】
そして、第３排出板４３から４次濾過器４０の内部上面まで取り付けられた複数の水分凝縮器４４が一定間隔で配列されるように取り付けられることができる。
【００８９】
したがって、第４煙流入口４１を通じて流入したきれいな空気は水分凝縮器４４を順次通過しながら水分が奪われ、完全に浄化した状態で第４煙排出口４２を通じて排出されることができる。
【００９０】
また、水分凝縮器４４はきれいな空気から奪った水分を下方に移動させて第３排出板４３に落下させ、落下した水分は第３排出板４３に形成された多数の通孔を通じて下方にさらに落下し、最終的に廃水タンク４５に保存される。
【００９１】
以上で図面に基づいて説明したものは本発明の主要事項のみを説明したもので、その技術的範囲内で多様な設計が可能であるので、本発明が図面の構成に限定されるものではないことは明らかである。
【符号の説明】
【００９２】
１０    １次濾過器
１１    濾過空間
１２    第１網
１３    第１煙流入口
１４    第１煙排出口
１５    噴霧管
１６    噴霧ノズル
１７    第１揚水機
１８    石灰水槽
１９    運送ローラー
１９ａ    油圧モーター
１９ｂ    油圧器
２０    ２次濾過器
２０ａ    石灰水濾過槽
２０ｂ    ソーダ石灰水濾過槽
２０ｃ    第２網
２０ａａ    第２煙流入口
２０ｂａ    第２煙排出口
２０ａｂ    第１排出板
２０ｂｂ    第２排出板
２０ａｃ    臨時石灰水槽
２０ｂｃ    臨時ソーダ石灰水槽
２１ａ    石灰水タンク
２１ｂ    ソーダ石灰水タンク
２２    運送ベルト
２３    第２揚水機
２４    第１ポンプ
３０    ３次濾過器
３１    １次濾過槽
３２    ２次濾過槽
３３    第３煙流入口
３４    煙移送口
３５    第３煙排出口
３６    酸素流入口
３７    第３揚水機
３８    第２ポンプ
４０    ４次濾過器
４１    第４煙流入口
４２    第４煙排出口
４３    第３排出板
４４    水分凝縮器
４５    廃水タンク
【図１】
2019048285.tif 000003
【図２】
2019048285.tif 000004
【図３】
2019048285.tif 000005
【図４】
2019048285.tif 000006
【図５】
2019048285.tif 000007